(57)【要約】【課題】挿入した針金や棒等をサムターンに引っ掛けて、サムターンを回転させるなどの不正な解錠操作を阻止する。【解決手段】中筒２１の軸線方向一端側に回動自在に内設され一端部で操作力を錠箱に入力するとともに、他端部に相対回転規制部５３を有したサムターンコア５１と、基端部に、中筒２１の他端側から突出するサムターン摘み７９を有し、リリースバネ８７によってサムターンコア５１側へ付勢されることでテールピース９３を相対回転規制部５３に連結させてサムターンコア５１と一体回転する一方、サムターン摘み７９の回転中心軸を曲げる方向でサムターン摘み７９に加えられた外力によりサムターン摘み７９を揺動させ、この揺動によってリリースバネ８７の付勢力に抗しテールピース９３を相対回転規制部５３から離反する方向へ移動させてサムターンコア５１との連結を解除させる揺動機構部とを設けた。【選択図】      図１
2005023555.tif 000002
【特許請求の範囲】
【請求項１】
扉に設けられた錠箱を施解錠状態にするサムターン摘みの操作力を、有効又は無効にする防犯サムターンであって、
前記扉又は前記錠箱に固定される筒状のケースと、
該ケースの軸線方向一端側に回動自在に内設され一端部で前記操作力を前記錠箱に入力するとともに、他端部に相対回転規制部を有したサムターンコアと、
基端部に、前記ケースの他端側から突出するサムターン摘みを有し、付勢手段によって前記サムターンコア側へ付勢されることで先端部を前記相対回転規制部に連結させて前記サムターンコアと一体回転する一方、前記サムターン摘みの回転中心軸を曲げる方向で前記サムターン摘みに加えられた外力により前記サムターン摘みを揺動させ、該揺動によって前記付勢手段の付勢力に抗し前記先端部を前記相対回転規制部から離反する方向へ移動させて前記サムターンコアとの連結を解除させる揺動機構部と、
を具備したことを特徴とする防犯サムターン。
【請求項２】
請求項１記載の防犯サムターンであって、
前記揺動機構部が、
前記サムターン摘みと前記先端部とを同軸線上で連接するサムターン軸と、
前記ケースの軸線方向他端側の内周に設けられ軸線方向一端側に向かって小径となるテーパ状の受け面と、
前記サムターン軸から同心円状に突出されるとともに、前記先端部に向かって徐々に小径となり且つ前記付勢手段の付勢力によって該受け面に押圧される摺接部と、
を具備したことを特徴とする防犯サムターン。
【請求項３】
請求項１記載の防犯サムターンであって、
前記サムターン摘みが、
前記ケースの軸線方向他端側の端面に当接する座板と、
該座板の板面に垂直に立設された摘み板とを具備し、
前記揺動機構部が、
前記先端部を有するとともに、基端側には軸線に直交方向の係合溝が形成され且つ基端面に形成された直径方向の切込みによって該係合溝が開口されるサムターン軸と、
前記サムターン摘みの回転中心軸と同軸で前記座板から前記サムターン軸に向かって突出され前記切込みに挿入されて前記サムターン軸との相対回転を不能にするとともに、前記係合溝に係合した軸部が該係合溝に沿って摺動することで前記サムターン摘みを揺動可能にする揺動杆と、
を具備したことを特徴とする防犯サムターン。
【請求項４】
請求項１記載の防犯サムターンであって、
前記サムターン摘みが、
前記ケースの軸線方向他端側の端面に当接する座板と、
該座板の板面に垂直に立設された摘み板とを具備し、
前記揺動機構部が、
前記先端部を有するとともに、基端側には軸線に直交方向の係合穴が形成され且つ基端面に形成された直径方向の切込みによって該係合穴が開口されるサムターン軸と、
前記サムターン摘みの回転中心軸と同軸で前記座板から前記サムターン軸に向かって突出され前記切込みに挿入されて前記サムターン軸との相対回転を不能にするとともに、前記係合穴に係合した軸部が回動することで前記サムターン摘みを揺動可能にする揺動杆と、
前記ケースの軸線方向他端側の内周に設けられ軸線方向一端側に向かって小径となるテーパ状の受け面と、
前記座板の前記ケースに当接する側の面に設けられ前記先端部に向かって徐々に小径となり且つ前記付勢手段の付勢力によって該受け面に押圧される摺接部と、
を具備したことを特徴とする防犯サムターン。
【発明の詳細な説明】
【０００１】
【発明の属する技術分野】
本発明は、扉の施解錠操作に用いられるサムターンを有効又は無効にして防犯性の向上を図る防犯サムターンに関する。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
【０００３】
錠箱には、ロック部材である例えばデッドボルトが開閉体の端面（木口）から進退自在に設けられている。
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、下記特許文献１に示されるような翼板形状のサムターンの摘みが回転操作されるのみで、デッドボルトが進退され、開閉体の施解錠が簡便に行えるようになっている。
【０００４】
【特許文献１】
特公平２−１５７１５号公報（第１図ｂ，第１図ｃ）
【０００５】
【発明が解決しようとする課題】
近年、マンションや住宅の玄関扉等の開閉体、あるいはこれら玄関扉等の開閉体近傍における開口枠体の周囲である壁部分に、高級感や優美性を高める目的で、ガラス板を嵌め込んだ小窓が多用されるようになってきている。
ところが、このような小窓を有する開閉体や、近傍に小窓が設けられた開閉体では、小窓のガラス板が割られると、外部から手を差し入れて開閉体のサムターンを不正に操作したり、先端を鉤状に曲げた針金や棒等を挿入して、サムターンが不正に操作されてしまう虞れがある。
【０００６】
一般的に、扉に多用される回転式のサムターンは、屋内側に露出する摘みが回動中心から半径方向外側に翼板部を張り出させた形状であるため、この翼板部に、針金等を曲げた鉤状先端を掛止し、回転モーメントを与えることにより不正な解錠操作が可能となる場合があった。
また、サムターンは、上記した小窓の無い開閉体においても、郵便ポストの投入開口など、針金を挿入する穴や隙間が開閉体自体或いは開閉体近傍の壁部にあれば、同様に不正解錠される虞があった。
【０００７】
本発明は上記状況に鑑みてなされたもので、挿入した針金や棒等をサムターンに引っ掛けて、サムターンを回転することによる不正解錠を阻止できる防犯サムターンユニットを提供し、防犯性の向上を図ることを目的とする。
【０００８】
【課題を解決するための手段】
次に、上記の課題を解決するための手段を、実施の形態に対応する図面を参照して説明する。
この発明の請求項１記載の防犯サムターン１００（２００，３００）は、扉に設けられた錠箱を施解錠状態にするサムターン摘み７９の操作力を、有効又は無効にする防犯サムターン１００（２００，３００）であって、
前記扉又は前記錠箱に固定される筒状のケース２１と、
該ケース２１の軸線方向一端側に回動自在に内設され一端部で前記操作力を前記錠箱に入力するとともに、他端部に相対回転規制部５３（５４）を有したサムターンコア５１と、
基端部に、前記ケース２１の他端側から突出するサムターン摘み７９を有し、付勢手段８７によって前記サムターンコア５１側へ付勢されることで先端部９３（９４）を前記相対回転規制部５３（５４）に連結させて前記サムターンコア５１と一体回転する一方、前記サムターン摘み７９の回転中心軸を曲げる方向で前記サムターン摘み７９に加えられた外力Ｆにより前記サムターン摘み７９を揺動させ、該揺動によって前記付勢手段８７の付勢力に抗し前記先端部９３（９４）を前記相対回転規制部５３（５４）から離反する方向へ移動させて前記サムターンコア５１との連結を解除させる揺動機構部９７（１０１，１１７）と、
を具備したことを特徴とする。
【０００９】
この防犯サムターン１００（２００，３００）では、屋内側へ挿入した針金でサムターン摘み７９を引っ掛け、或いは挿入した棒でサムターン摘み７９を押し回ししようとすると、サムターン摘み７９の回転中心軸を曲げる方向の外力Ｆがサムターン摘み７９に加わる。すると、揺動機構部９７（１０１，１１７）がサムターンコア５１から離反するように作動して、サムターン摘み７９が空転するのみとなり、サムターン摘み７９による操作力の入力が無効にされる。これにより、挿入した針金や棒等をサムターン摘み７９に引っ掛ける等して、サムターン摘み７９を回転することによる不正解錠が阻止される。
【００１０】
請求項２記載の防犯サムターン１００は、請求項１記載の防犯サムターンであって、
前記揺動機構部９７が、
前記サムターン摘み７９と前記先端部９３とを同軸線上で連接するサムターン軸７７と、
前記ケース２１の軸線方向他端側の内周に設けられ軸線方向一端側に向かって小径となるテーパ状の受け面７５と、
前記サムターン軸７７から同心円状に突出されるとともに、前記先端部９３に向かって徐々に小径となり且つ前記付勢手段８７の付勢力によって該受け面７５に押圧される摺接部９５と、
を具備したことを特徴とする。
【００１１】
この防犯サムターン１００では、サムターン摘み７９の回転中心軸を曲げないような操作力、すなわち、回転中心軸を点対称に逆方向の等しい回転モーメントが加えられた場合には、サムターン軸７７がサムターンコア５１から離反せず、回転操作力がサムターンコア５１に伝わる。これに対し、針金でサムターン摘み７９を引っ掛け、或いは棒でサムターン摘み７９を押し回しするような操作力、すなわち、回転中心軸を曲げる方向の外力Ｆが加わると、摺接部９５が受け面７５に沿うようにして滑り、サムターン摘み７９が揺動しながら屋内側へ引出される。これにより、サムターン軸７７の先端部９３がサムターンコア５１の相対回転規制部５３から離反されて、サムターン摘み７９が空転するのみとなり、サムターン摘み７９による不正な操作力の入力が無効にされる。
【００１２】
請求項３記載の防犯サムターン２００は、請求項１記載の防犯サムターンであって、
前記サムターン摘み７９が、
前記ケース２１の軸線方向他端側の端面に当接する座板７９ｂと、
該座板７９ｂの板面に垂直に立設された摘み板７９ａとを具備し、
前記揺動機構部１０１が、
前記先端部９３を有するとともに、基端側には軸線に直交方向の係合溝１０３が形成され且つ基端面に形成された直径方向の切込み１０５によって該係合溝１０３が開口されるサムターン軸１０７と、
前記サムターン摘み７９の回転中心軸と同軸で前記座板７９ｂから前記サムターン軸１０７に向かって突出され前記切込み１０５に挿入されて前記サムターン軸１０７との相対回転を不能にするとともに、前記係合溝１０３に係合した軸部１１３が該係合溝１０３に沿って摺動することで前記サムターン摘み７９を揺動可能にする揺動杆１０９と、
を具備したことを特徴とする。
【００１３】
この防犯サムターン２００では、サムターン摘み７９の回転中心軸を曲げないような操作力、すなわち、回転中心軸を点対称に逆方向の等しい回転モーメントが加えられた場合には、サムターン軸１０７がサムターンコア５１から離反せず、回転操作力がサムターンコア５１に伝わる。これに対し、針金でサムターン摘み７９を引っ掛け、或いは棒でサムターン摘み７９を押し回しするような操作力、すなわち、回転中心軸を曲げる方向の外力Ｆが加わると、サムターン摘み７９がケース２１との接点を支点に揺動されて、揺動杆１０９の軸部１１３が係合溝１０３に沿って移動する。これにより、サムターン軸１０７が揺動杆１０９によって引っ張られ、先端部９３がサムターンコア５１の相対回転規制部５３から離反されて、サムターン摘み７９が空転するのみとなる。
【００１４】
請求項４記載の防犯サムターン３００は、請求項１記載の防犯サムターンであって、
前記サムターン摘み７９が、
前記ケース２１の軸線方向他端側の端面に当接する座板７９ｂと、
該座板７９ｂの板面に垂直に立設された摘み板７９ａとを具備し、
前記揺動機構部１１７が、
前記先端部９４を有するとともに、基端側には軸線に直交方向の係合穴１１９が形成され且つ基端面に形成された直径方向の切込み１０５によって該係合穴１１９が開口されるサムターン軸１２１と、
前記サムターン摘み７９の回転中心軸と同軸で前記座板７９ｂから前記サムターン軸１２１に向かって突出され前記切込み１０５に挿入されて前記サムターン軸１２１との相対回転を不能にするとともに、前記係合穴１１９に係合した軸部１１３が回動することで前記サムターン摘み７９を揺動可能にする揺動杆１０９と、
前記ケース２１の軸線方向他端側の内周に設けられ軸線方向一端側に向かって小径となるテーパ状の受け面７５と、
前記座板７９ｂの前記ケース２１に当接する側の面に設けられ前記先端部９４に向かって徐々に小径となり且つ前記付勢手段８７の付勢力によって該受け面７５に押圧される摺接部９５と、
を具備したことを特徴とする。
【００１５】
この防犯サムターン３００では、サムターン摘み７９の回転中心軸を曲げないような操作力、すなわち、回転中心軸を点対称に逆方向の等しい回転モーメントが加えられた場合には、サムターン軸１２１がサムターンコア５１から離反せず、回転操作力がサムターンコア５１に伝わる。一方、針金でサムターン摘み７９を引っ掛け、或いは棒でサムターン摘７９みを押し回しするような操作力、すなわち、摘み板に略平行な方向の（回転中心軸を曲げるような）外力Ｆが加わると、摺接部９５が受け面７５に沿うようにして滑り、サムターン摘み７９が揺動しながら屋内側へ引出される。これにより、サムターン軸１２１の先端部９４がサムターンコア５１の相対回転規制部５４から離反されて、サムターン摘み７９が空転するのみとなる。また、針金や棒で、摘み板７９ａに垂直な方向の（回転中心軸を曲げるような）外力Ｆが加わると、サムターン摘み７９がケース２１との接点を支点に揺動される。これにより、サムターン軸１２１が軸部１１３を介して揺動杆１０９によって引っ張られ、先端部９４がサムターンコア５１の相対回転規制部５４から離反されて、サムターン摘み７９が空転するのみとなる。従って、摘み板７９ａに垂直な方向及び摘み板７９ａに平行な方向の不正操作力が共に無効にされる。
【００１６】
【発明の実施の形態】
以下、本発明に係る防犯サムターンの好適な実施の形態を図面を参照して詳細に説明する。
図１は本発明に係る防犯サムターンの第１の実施の形態を表す分解側面図、図２は図１に示した防犯サムターンの分解斜視図、図３は図１に示した防犯サムターンの正面視を（ａ）、縦断面視を（ｂ）に表した説明図、図４は図１に示した防犯サムターンの横断面視を（ａ）、Ａ矢視を（ｂ）に表した説明図である。
【００１７】
本実施の形態による防犯サムターン１００が取付けられる図示ない扉には、錠箱が設けられる。錠箱は、ラッチボルト、デッドボルト、及びこれらを扉の木口から進退させる錠箱機構部を内設している。錠箱のデッドボルトは、扉の屋外側の面に設けたシリンダー錠をキーによって、又は扉の屋内側の面に設けられたサムターン摘みを回動することによって扉の木口から進退可能となっている。防犯サムターン１００は、以下の構成によって、サムターン摘みの操作力を、有効又は無効にするよう作動される。
【００１８】
扉又は錠箱には筒状のケースである中筒２１が固定される。中筒２１の軸線方向一端側の外周には一対の固定部２３、２３が突設され、固定部２３、２３は固定穴２５を有している。中筒２１は、扉内に設けられた錠箱にこの固定穴２５を介して固定される。中筒２１の軸線方向他端側の内周は、内径を縮径させたサムターン導出穴２７となる。
【００１９】
中筒２１の軸線方向他端側の外周には、筒状の飾り筒下板２９が固着される。飾り筒下板２９の外周には更に飾り筒３１が固着され、飾り筒３１はサムターン導出穴２７と一致する導出穴３５を有する。扉から屋内側へ突出される中筒２１の軸線方向他端側には化粧リング３７が外挿され、化粧リング３７は筒体３９の端部から外側へ円錐状に折り返されたカバー４１を有し、筒体の一端側には内周に突出した鍔部４３を有している。図３に示すように、化粧リング３７の外周には化粧リングバネ４５が外挿され、化粧リングバネ４５は一端が鍔部４３に当接され、他端が飾り筒３１、飾り筒下板２９に当接される。したがって、化粧リングバネ４５は、カバー４１の拡径端が化粧リングバネ４５の付勢力によって扉屋内面４７に当接される。
【００２０】
中筒２１の軸線方向一端側の内周にはサムターンコア５１が回動自在に内設され、サムターンコア５１は一端部で操作力を錠箱に入力する。サムターンコア５１の他端部には相対回転規制部５３が設けられ、相対回転規制部５３は図２に示すように、端面に直径方向で形成された溝となって形成されている。この相対回転規制部５３は、後述のサムターン軸７７と係合・係合解除可能となる。
【００２１】
サムターンコア５１は、中筒２１の内周に挿嵌されたコアガイド５５の中穴５７に支持される。図３に示すように、コアガイド５５は、中筒２１の内周に係合された止め輪５９によって脱落が規制される。サムターンコア５１の外周には周溝６１が形成され、周溝６１はコア止め輪６３が嵌着される。サムターンコア５１は、コア止め輪６３が、外挿されたコアワッシャー６５を介してコアガイド５５の中穴５７に当接して中筒２１からの脱落が規制される。
【００２２】
中筒２１の内周には段部６６が形成され、段部６６はコアガイド５５の周縁とで軸受け６７の外周を挟持している。軸受け６７は、段部６６とコアガイド５５とによって挟持されるフランジ部６９と、後述のサムターン軸を遊嵌する受け穴７１とを有している。
【００２３】
中筒２１の軸線方向他端側となるサムターン導出穴２７、及び飾り筒３１の導出穴３５にはリング状のスライドガイド７３が挿嵌されている。スライドガイド７３は、中筒２１の軸線方向一端側に向かって小径となるテーパ状の受け面７５を有している。
【００２４】
このスライドガイド７３の内周にはサムターン軸７７が挿通され、サムターン軸７７は基端部にサムターン摘み７９を有している。サムターン軸７７は、軸受け６７の受け穴７１を貫通して挿入される。サムターン軸７７の外周には周溝８１が形成され、周溝８１はサムターン止め輪８３を嵌着している。
【００２５】
サムターン軸７７にはテーパ筒状のバネカバー８５が外挿され、バネカバー８５は図３に示すように他端側の大径部が中筒２１のサムターン導出穴２７の周縁に当接される。バネカバー８５には付勢手段であるリリースバネ８７が外挿され、リリースバネ８７は一端がサムターンワッシャー８９を介してサムターン止め輪８３に当接され、他端がバネカバー８５の大径部に当接される。
【００２６】
つまり、サムターン軸７７は、サムターン止め輪８３及びサムターンワッシャー８９によって中筒２１からの脱落が規制されるとともに、リリースバネ８７によってサムターンコア５１側へ付勢されている。そして、サムターン軸７７は、サムターンワッシャー８９とバネカバー８５との間隙をストロークとして軸線方向に可動自在となっている。
【００２７】
サムターン軸７７の先端には直径方向の切欠９１が形成され、この切欠９１には先端部としての板状のテールピース９３が嵌着される。テールピース９３は、サムターン軸７７がリリースバネ８７に付勢された位置で、サムターンコア５１の相対回転規制部５３に係合する。テールピース９３と相対回転規制部５３とが係合することで、サムターン軸７７とサムターンコア５１とは相対回転が規制され、一体回転される。サムターン軸７７は、サムターン摘み７９とテールピース９３とを同軸線上で連接している。
【００２８】
サムターン軸７７は、サムターン摘み７９との境の外周に、摺接部９５を有している。摺接部９５は、サムターン軸７７から同心円状に突出されるとともに、テールピース９３に向かって徐々に小径となる。この摺接部９５は、テーパ面でも良いが、好ましくはテールピース９３に向かって徐々に小径となる凸曲面であることが好ましい。摺接部９５は、サムターン軸７７がリリースバネ８７によって付勢されることで、スライドガイド７３の受け面７５に押圧される。
【００２９】
そして、これら受け面７５，サムターン軸７７，サムターン摘み７９，摺接部９５は、揺動機構部９７を構成している。
【００３０】
揺動機構部９７は、サムターン摘み７９を有し、リリースバネ８７によってサムターンコア５１側へ付勢されることで、テールピース９３を相対回転規制部５３に連結させて、サムターンコア５１と一体回転する一方、サムターン摘み７９の回転中心軸を曲げる方向でサムターン摘み７９に加えられた外力Ｆにより、サムターン摘み７９を揺動させ、この揺動によってリリースバネ８７の付勢力に抗しテールピース９３を相対回転規制部５３から離反する方向へ移動させて、サムターンコア５１との連結を解除させる。
【００３１】
次に、上記のように構成された防犯サムターンの作用を説明する。
図５は図１に示した防犯サムターンの摘み板に垂直な外力が作用した場合の動作説明図、図６は図１に示した防犯サムターンの摘み板に平行な外力が作用した場合の動作説明図である。
防犯サムターン１００は、サムターン摘み７９の回転中心軸を曲げないような操作力、すなわち、摘み板７９ａを扉の正面側から親指と人指し指で摘み、回転中心軸を点対称に逆方向の等しい回転モーメントが加えられた場合には、サムターン軸７７がサムターンコア５１から離反せず、図３や図４に示すように、テールピース９３と相対回転規制部５３とが係合したままとなり、サムターン摘み７９による回転操作力がサムターンコア５１に伝わる。
【００３２】
これに対し、図５に示すように、針金でサムターン摘み７９を引っ掛け、或いは棒でサムターン摘み７９を押し回しするような操作力、すなわち、摘み板７９ａに略垂直な方向の、回転中心軸を曲げてしまうような外力Ｆが加わると、図５（ａ）に示すように、摺接部９５が受け面７５に沿うようにして滑り、サムターン摘み７９が揺動しながら図５（ｂ）に示すように屋内側へ引出される。これにより、サムターン軸７７のテールピース９３がサムターンコア５１の相対回転規制部５３から離反されて、互いの係合状態が解除され、これによりサムターン摘み７９が空転するのみとなり、サムターン摘み７９による不正な操作力の入力が無効にされる。
【００３３】
また、図６に示すように、摘み板７９ａの板面に平行な方向の、回転中心軸を曲げてしまうような外力Ｆが加わることによっても、摺接部９５が受け面７５に沿うようにして滑り、サムターン摘み７９が揺動しながら屋内側へ引出される。これにより、サムターン軸７７のテールピース９３がサムターンコア５１の相対回転規制部５３から離反されて、互いの係合状態が解除され、これによりサムターン摘み７９が空転するのみとなり、サムターン摘み７９による不正な操作力の入力が無効にされる。
【００３４】
そして、外力Ｆが解除されれば、サムターン摘み７９がリリースバネ８７の付勢力によってサムターンコア５１に接近する方向へ移動され、再びテールピース９３が相対回転規制部５３と係合して、サムターン摘み７９による操作力がサムターンコア５１へ入力可能な状態へと復帰する。
【００３５】
従って、この防犯サムターン１００によれば、屋内側へ挿入した針金でサムターン摘み７９を引っ掛け、或いは挿入した棒でサムターン摘み７９を押し回ししようとすると、サムターン摘み７９の回転中心軸を曲げる方向の外力がサムターン摘み７９に加わり、揺動機構部９７がサムターンコア５１から離反するように作動して、サムターン摘み７９が空転するのみとなり、サムターン摘み７９による操作力の入力が無効にされる。これにより、挿入した針金や棒等をサムターン摘み７９に引っ掛ける等して、サムターン摘み７９を回転することによる不正解錠を阻止することができる。
【００３６】
次に、本発明に係る防犯サムターンの第２の実施の形態を説明する。
図７は本発明に係る防犯サムターンの第２の実施の形態を表す分解側面図、図８は図７に示した防犯サムターンの正面視を（ａ）、縦断面視を（ｂ）に表した説明図、図９は図７に示した防犯サムターンの横断面視を（ａ）、Ｂ矢視を（ｂ）に表した説明図である。なお、図１〜図４に示した部材と同等の部材には同一の符号を付し、重複する説明は省略するものとする。
【００３７】
本実施の形態による防犯サムターン２００は、サムターン摘み７９が、中筒２１の軸線方向他端側の端面に当接する座板７９ｂと、この座板７９ｂの板面に垂直に立設された摘み板７９ａとを具備している。また、揺動機構部１０１は、先端部としてのテールピース９３を有するとともに、基端側には軸線に直交方向の係合溝１０３が形成され且つ基端面に形成された直径方向の切込み１０５によって係合溝１０３が開口されるサムターン軸１０７と、サムターン摘み７９の回転中心軸と同軸で座板７９ｂからサムターン軸１０７に向かって突出された揺動杆１０９とを具備する。
【００３８】
揺動杆１０９は、切込み１０５に挿入されてサムターン軸１０７との相対回転を不能にする。また、揺動杆１０９の先端には嵌着穴１１１が形成され、嵌着穴１１１には軸部１１３が嵌着されている。サムターン摘み７９は、揺動杆１０９の軸部１１３を係合溝１０３に係合し、この軸部１１３を係合溝１０３に沿って摺動することで、揺動可能となっている。なお、本実施の形態では、バネカバー１１５が、リリースバネ８７の外周側に装着される。
【００３９】
上記のように構成された防犯サムターンの作用を説明する。
図１０は図７に示した防犯サムターンの摘み板に垂直な外力が作用した場合の動作説明図である。
防犯サムターン２００は、サムターン摘み７９の回転中心軸を曲げないような操作力、すなわち、摘み板７９ａを扉の正面側から親指と人指し指で摘み、回転中心軸を点対称に逆方向の等しい回転モーメントが加えられた場合には、サムターン軸１０７がサムターンコア５１から離反せず、図８や図９に示すように、テールピース９３と相対回転規制部５３とが係合したままとなり、サムターン摘み７９による回転操作力がサムターンコア５１に伝わる。
【００４０】
これに対し、図１０に示すように、針金でサムターン摘み７９を引っ掛け、或いは棒でサムターン摘み７９を押し回しするような操作力、すなわち、摘み板７９ａに略垂直な方向の、回転中心軸を曲げるような外力Ｆが加わると、サムターン摘み７９の座板７９ｂが中筒２１（飾り筒３１）との接点を支点Ｏとして揺動されて、揺動杆１０９の軸部１１３が係合溝１０３に沿って移動する。これにより、サムターン軸１０７が揺動杆１０９によって引っ張られ、テールピース９３がサムターンコア５１の相対回転規制部５３から離反されて、互いの係合状態が解除され、これによりサムターン摘み７９が空転するのみとなる。
【００４１】
そして、外力Ｆが解除されれば、サムターン軸１０７がリリースバネ８７の付勢力によってサムターンコア５１に接近する方向へ移動され、サムターン摘み７９が中筒２１に引き込まれるとともに、再びテールピース９３が相対回転規制部５３と係合して、サムターン摘み７９による操作力がサムターンコア５１へ入力可能な状態へと復帰する。
【００４２】
従って、この防犯サムターン２００によれば、サムターン摘み７９の回転中心軸を曲げないような操作力、すなわち、回転中心軸を点対称に逆方向の等しい回転モーメントが加えられた場合には、サムターン軸１０７がサムターンコア５１から離反せず、回転操作力がサムターンコア５１に伝わる。これに対し、針金でサムターン摘み７９を引っ掛け、或いは棒でサムターン摘み７９を押し回しするような操作力、すなわち、回転中心軸を曲げる方向の外力が加わると、サムターン摘み７９が中筒２１との接点を支点として揺動されて、揺動杆１０９の軸部１１３が係合溝１０３に沿って移動する。そして、サムターン軸１０７が揺動杆１０９によって引っ張られ、テールピース９３がサムターンコア５１の相対回転規制部５３から離反されて、サムターン摘み７９が空転するのみとなる。これにより、挿入した針金や棒等をサムターン摘み７９に引っ掛ける等して、サムターン摘み７９を回転することによる不正解錠を阻止することができる。なお、この実施の形態では、サムターン軸１０７が回転中心軸に沿って略真直にスライドするようにサムターンコア５１から離反する動作となり、テールピース９３と相対回転規制部５３との係合深さを十分なものとすることが可能となる。
【００４３】
次に、本発明に係る防犯サムターンの第３の実施の形態を説明する。
図１１は本発明に係る防犯サムターンの第３の実施の形態を表す分解側面図、図１２は図１１に示した防犯サムターンの正面視を（ａ）、縦断面視を（ｂ）に表した説明図、図１３は図１１に示した防犯サムターンの横断面視を（ａ）、Ｃ矢視を（ｂ）に表した説明図である。なお、図１〜図１０に示した部材と同等の部材には同一の符号を付し、重複する説明は省略するものとする。
【００４４】
本実施の形態による防犯サムターン３００は、第１の実施の形態による防犯サムターン１００の構成と、第２の実施の形態による防犯サムターン２００の構成とを略併せ持った構成となっている。
すなわち、サムターン摘み７９が、中筒２１の軸線方向他端側の端面に当接する座板７９ｂと、この座板７９ｂの板面に垂直に立設された摘み板７９ａとを具備している。
【００４５】
また、揺動機構部１１７は、先端部としての係合溝９４を有するとともに、基端側には軸線に直交方向の係合穴１１９が形成され且つ基端面に形成された直径方向の切込み１０５によって係合穴１１９が開口されるサムターン軸１２１と、サムターン摘み７９の回転中心軸と同軸で座板７９ｂからサムターン軸１２１に向かって突出された揺動杆１０９と、中筒２１の軸線方向他端側の内周に設けらた受け面７５を有するスライドガイド７３と、座板７９ｂに設けられた摺接部９５とを具備している。また、サムターンコア５１の他端部に設けられる相対回転規制部５４は端面より突出した凸片状に形成されている。すなわち係合溝９４と係合・係合解除可能となる。
【００４６】
揺動杆１０９は、切込み１０５に挿入されてサムターン軸１２１との相対回転を不能にする。また、揺動杆１０９の先端には嵌着穴１１１が形成され、嵌着穴１１１には軸部１１３が嵌着されている。サムターン摘み７９は、揺動杆１０９の軸部１１３を係合穴１１９に係合することで揺動可能となっている。なお、本実施の形態では、バネカバー８５が、第１の実施の形態と同様にリリースバネ８７の内周側に装着される。また、リリースバネ８７は、保持リング１２３を介してサムターンワッシャー８９に当接される。また、コアワッシャー６５は、コアガイド５５を挟んで一対設けられている。
【００４７】
上記のように構成された防犯サムターンの作用を説明する。
図１４は図１１に示した防犯サムターンの摘み板に平行な外力が作用した場合の動作説明図、図１５は図１１に示した防犯サムターンの摘み板に垂直な外力が作用した場合の動作説明図である。
防犯サムターン３００は、サムターン摘み７９の回転中心軸を曲げないような操作力、すなわち、摘み板７９ａを扉の正面側から親指と人指し指で摘み、回転中心軸を点対称に逆方向の等しい回転モーメントが加えられた場合には、サムターン軸１２１がサムターンコア５１から離反せず、図１２や図１３に示すように、係合溝９４と相対回転規制部５４とが係合したままとなり、サムターン摘み７９による回転操作力がサムターンコア５１に伝わる。
【００４８】
これに対し、図１４に示すように、針金でサムターン摘み７９を引っ掛け、或いは棒でサムターン摘み７９を押し回しするような操作力、すなわち、摘み板７９ａに平行な方向の、回転中心軸を曲げるような外力Ｆが加わると、摺接部９５が受け面７５に沿うようにして滑り、サムターン摘み７９が揺動しながら屋内側へ引出される。これにより、サムターン軸１２１の係合溝９４がサムターンコア５１の相対回転規制部５４から離反されて、互いの係合状態が解除され、これによりサムターン摘み７９が空転するのみとなり、サムターン摘み７９による不正な操作力の入力が無効にされる。
【００４９】
また、図１５に示すように、摘み板７９ａの板面に略垂直な方向の、回転中心軸を曲げるような外力Ｆが加わると、サムターン摘み７９の摺接部９５が受け面７５との接点を支点に揺動される。これにより、サムターン軸１２１が軸部１１３を介して揺動杆１０９によって略真直に引っ張られ、係合溝９４がサムターンコア５１の相対回転規制部５４から離反されて、互いの係合状態を解除され、これによりサムターン摘み７９が空転するのみとなる。
【００５０】
そして、外力Ｆが解除されれば、サムターン摘み７９がリリースバネ８７の付勢力によってサムターンコア５１に接近する方向へ移動され、再び係合溝９４が相対回転規制部５４と係合して、サムターン摘み７９による操作力がサムターンコア５１へ入力可能な状態へと復帰する。
【００５１】
従って、この防犯サムターン３００によれば、サムターン摘み７９の回転中心軸を曲げないような操作力、すなわち、回転中心軸を点対称に逆方向の等しい回転モーメントが加えられた場合には、サムターン軸１２１がサムターンコア５１から離反せず、回転操作力がサムターンコア５１に伝わる。一方、針金でサムターン摘み７９を引っ掛け、或いは棒でサムターン摘み７９を押し回しするような操作力、すなわち、摘み板７９ａに略平行な方向の、回転中心軸を曲げるような外力が加わると、摺接部９５が受け面７５に沿うようにして滑り、サムターン摘み７９が揺動しながら屋内側へ引出される。これにより、サムターン軸７９の係合溝９４がサムターンコア５１の相対回転規制部５４から離反されて、サムターン摘み７９が空転するのみとなる。また、針金や棒で、摘み板７９ａに垂直な方向の、回転中心軸を曲げるような外力が加わると、サムターン摘み７９が揺動され、サムターン軸１２１が揺動杆１０９によって引っ張られ、係合溝９４がサムターンコア５１の相対回転規制部５４から離反されて、サムターン摘み７９が空転するのみとなる。従って、摘み板７９ａに垂直な方向及び摘み板７９ａに平行な方向の不正操作力を共に無効にすることができる。
【００５２】
【発明の効果】
以上説明したように、本発明に係る請求項１記載の防犯サムターンによれば、サムターン摘みを有し、付勢手段によってサムターンコア側へ付勢されることでサムターンコアと一体回転する一方、サムターン摘みの回転中心軸を曲げる方向でサムターン摘みに加えられた外力によりサムターン摘みを揺動させ、この揺動によってサムターンコアとの連結を解除させる揺動機構部を備えたので、屋内側へ挿入した針金でサムターン摘みを引っ掛け、或いは挿入した棒でサムターン摘みを押し回ししようとすると、サムターン摘みの回転中心軸を曲げる方向の外力がサムターン摘みに加わり、揺動機構部がサムターンコアから離反するように作動して、互いの連結状態が解除されて、これによりサムターン摘みが空転することとなり、サムターン摘みによる操作力の入力を無効にすることができる。この結果、挿入した針金や棒等をサムターン摘みに引っ掛ける等して、サムターン摘みを回転することによる不正解錠を阻止でき、防犯性を向上させることができる。
【００５３】
そして、請求項２記載の防犯サムターンによれば、請求項１記載の防犯サムターンにおいて、揺動機構部が、サムターン摘みと先端部とを連接するサムターン軸と、ケースの内周に設けられ軸線方向一端側に向かって小径となるテーパ状の受け面と、サムターン軸から突出されるとともに、先端部に向かって徐々に小径となり且つ付勢手段によって受け面に押圧される摺接部とを備えたので、サムターン摘みの回転中心軸を曲げないような操作力、すなわち、回転中心軸を点対称に逆方向の等しい回転モーメントが加えられた場合には、サムターン軸がサムターンコアから離反せず、回転操作力がサムターンコアに伝わるが、針金でサムターン摘みを引っ掛け、或いは棒でサムターン摘みを押し回しするような操作力、すなわち、回転中心軸を曲げる方向の外力が加わると、摺接部が受け面に沿うようにして滑り、サムターン摘みが揺動しながら屋内側へ引出され、その結果、サムターン軸の先端部がサムターンコアの相対回転規制部から離反されて、互いの連結状態が解除され、これによりサムターン摘みが空転するのみとなり、サムターン摘みによる不正な操作力の入力を無効にすることができる。
【００５４】
また、請求項３記載の防犯サムターンによれば、請求項１記載の防犯サムターンにおいて、サムターン摘みが、座板と摘み板とを具備し、揺動機構部が、係合溝、切込みの形成されたサムターン軸と、切込みに挿入されてサムターン軸との相対回転を不能にするとともに、係合溝に係合してサムターン摘みを揺動可能にする揺動杆とを備えたので、サムターン摘みの回転中心軸を曲げないような操作力、すなわち、回転中心軸を点対称に逆方向の等しい回転モーメントが加えられた場合には、サムターン軸がサムターンコアから離反せず、回転操作力がサムターンコアに伝わるが、針金でサムターン摘みを引っ掛け、或いは棒でサムターン摘みを押し回しするような操作力、すなわち、回転中心軸を曲げる方向の外力が加わると、サムターン摘みがケースとの接点を支点に揺動されて、揺動杆の軸部が係合溝に沿って移動し、その結果、サムターン軸が揺動杆によって引っ張られ、先端部がサムターンコアの相対回転規制部から離反されて、互いの連結状態が解除されて、これによりサムターン摘みが空転するのみとなる。この結果、サムターン摘みによる不正な操作力の入力を無効にすることができる。
【００５５】
更に、請求項４記載の防犯サムターンによれば、請求項１記載の防犯サムターンにおいて、サムターン摘みが、座板と摘み板とを具備し、揺動機構部が、係合穴、切込みの形成されたサムターン軸と、切込みに挿入されてサムターン軸との相対回転を不能にするとともに、係合穴に係合してサムターン摘みを揺動可能にする揺動杆と、ケースに設けられたテーパ状の受け面と、座板に設けられ先端部に向かって徐々に小径となる受け面とを備えたので、サムターン摘みの回転中心軸を曲げないような操作力、すなわち、回転中心軸を点対称に逆方向の等しい回転モーメントが加えられた場合には、サムターン軸がサムターンコアから離反せず、回転操作力がサムターンコアに伝わるが、針金でサムターン摘みを引っ掛け、或いは棒でサムターン摘みを押し回しするような操作力、すなわち、回転中心軸を曲げるような摘み板に略平行な方向の外力が加わると、摺接部が受け面に沿うようにして滑り、サムターン摘みが揺動しながら屋内側へ引出され、その結果、サムターン軸の先端部がサムターンコアの相対回転規制部から離反されて、互いの連結状態が解除されて、これによりサムターン摘みが空転するのみとなる。また、針金や棒で、回転中心軸を曲げるような摘み板に略垂直な方向の外力が加わると、サムターン摘みがケースとの接点を支点に揺動されて、その結果、サムターン軸が軸部を介して揺動杆によって引っ張られ、先端部がサムターンコアの相対回転規制部から離反されて、互いの連結状態が解除されて、これによりサムターン摘みが空転するのみとなる。この結果、摘み板に垂直な方向及び摘み板に平行な方向の不正操作力を共に無効にすることができ、防犯性を更に高めることができる。
【図面の簡単な説明】
【図１】本発明に係る防犯サムターンの第１の実施の形態を表す分解側面図である。
【図２】図１に示した防犯サムターンの分解斜視図である。
【図３】図１に示した防犯サムターンの正面視を（ａ）、縦断面視を（ｂ）に表した説明図である。
【図４】図１に示した防犯サムターンの横断面視を（ａ）、Ａ矢視を（ｂ）に表した説明図である。
【図５】図１に示した防犯サムターンの摘み板に垂直な外力が作用した場合の動作説明図である。
【図６】図１に示した防犯サムターンの摘み板に平行な外力が作用した場合の動作説明図である。
【図７】本発明に係る防犯サムターンの第２の実施の形態を表す分解側面図である。
【図８】図７に示した防犯サムターンの正面視を（ａ）、縦断面視を（ｂ）に表した説明図である。
【図９】図７に示した防犯サムターンの横断面視を（ａ）、Ｂ矢視を（ｂ）に表した説明図である。
【図１０】図７に示した防犯サムターンの摘み板に垂直な外力が作用した場合の動作説明図である。
【図１１】本発明に係る防犯サムターンの第３の実施の形態を表す分解側面図である。
【図１２】図１１に示した防犯サムターンの正面視を（ａ）、縦断面視を（ｂ）に表した説明図である。
【図１３】図１１に示した防犯サムターンの横断面視を（ａ）、Ｃ矢視を（ｂ）に表した説明図である。
【図１４】図１１に示した防犯サムターンの摘み板に平行な外力が作用した場合の動作説明図である。
【図１５】図１１に示した防犯サムターンの摘み板に垂直な外力が作用した場合の動作説明図である。
【符号の説明】
２１…ケース（中筒）
５１…サムターンコア
５３，５４…相対回転規制部
７５…受け面
７７，１０７，１２１…サムターン軸
７９…サムターン摘み
７９ａ…摘み板
７９ｂ…座板
８７…付勢手段（リリースバネ）
９３…先端部（テールピース）
９４…先端部（係合溝）
９５…摺接部
９７，１０１，１１７…揺動機構部
１００，２００，３００…防犯サムターン
１０３…係合溝
１０５…切込み
１０９…揺動杆
１１３…軸部
１１９…係合穴
Ｆ…外力
【図１】
2005023555.tif 000003
【図２】
2005023555.tif 000004
【図３】
2005023555.tif 000005
【図４】
2005023555.tif 000006
【図５】
2005023555.tif 000007
【図６】
2005023555.tif 000008
【図７】
2005023555.tif 000009
【図８】
2005023555.tif 000010
【図９】
2005023555.tif 000011
【図１０】
2005023555.tif 000012
【図１１】
2005023555.tif 000013
【図１２】
2005023555.tif 000014
【図１３】
2005023555.tif 000015
【図１４】
2005023555.tif 000016
【図１５】
2005023555.tif 000017